(57)【要約】【課題】  不適切なボタン操作に基づく操作信号の誤送信を防止することができるとともに、構成が簡素で、低コストで製造できるリモートコントローラを提供すること。【解決手段】  複数の操作ボタンを有し、押下された操作ボタンに応じた操作信号を送信するリモートコントローラ１において、ユーザが、所定の２つの操作ボタンＡａおよびＢｂを同時押下し、その同時押下状態を３０秒以上継続させると、リモートコントローラ１からの操作信号の送信を停止させることができ、不適切なボタン操作に基づく操作信号の誤送信を防止することができる。また、誤送信防止機構専用のスイッチを別途設けることなく、既存の操作ボタンを利用して操作信号の送信を停止させることができるので、リモートコントローラ１の構成が簡素化し、その製造コストを低減することができる。【選択図】  図２
2006191299.tif 000002
【特許請求の範囲】
【請求項１】
複数の操作ボタンを有する操作部と、
前記操作部における操作に応じた操作信号を送信する送信部と、
前記操作部における操作を認識して前記操作信号を生成し、前記送信部を動作させて前記操作信号を送信させる送信制御部と、
を備えるリモートコントローラであって、
前記操作信号の送信が行われる送信モード中に、前記複数の操作ボタンのうち少なくとも２つの操作ボタンが同時押下されたか否かを判定し、同時押下されたと判定した場合に、前記送信モードから前記操作信号の送信が停止される送信停止モードに切り替えるモード切替部を備える、
ことを特徴とするリモートコントローラ。
【請求項２】
請求項１に記載のリモートコントローラにおいて、
前記モード切替部は、前記送信停止モード中に、前記複数の操作ボタンのうち少なくとも２つの操作ボタンが同時押下されたか否かを判定し、同時押下されたと判定した場合に、前記送信停止モードから前記送信モードに切り替える、
ことを特徴とするリモートコントローラ。
【請求項３】
請求項２に記載のリモートコントローラにおいて、
前記送信モードから前記送信停止モードに切り替えるための前記少なくとも２つの操作ボタンと、前記送信停止モードから前記送信モードに切り替えるための前記少なくとも２つの操作ボタンとは、少なくとも１つの操作ボタンが互いに相違している、
ことを特徴とするリモートコントローラ。
【請求項４】
請求項１から請求項３のいずれかに記載のリモートコントローラにおいて、
前記操作ボタンの押下時間を計測する計時部を備え、
前記モード切替部は、前記計時部にて計測された前記同時押下状態の継続時間が所定時間を超えた場合に、前記送信モードおよび前記送信停止モードの切替えを行う、
ことを特徴とするリモートコントローラ。
【請求項５】
請求項１から請求項４のいずれかに記載のリモートコントローラにおいて、
前記モード切替部は、前記送信部の動作状態を変更することで、前記送信モードおよび前記送信停止モードの切替えを行う、
ことを特徴とするリモートコントローラ。
【請求項６】
請求項１から請求項５のいずれかに記載のリモートコントローラにおいて、
前記モード切替部によって同時押下されたか否かが判定される前記少なくとも２つの操作ボタンは、予め設定された操作ボタンである、
ことを特徴とするリモートコントローラ。
【請求項７】
請求項１から請求項６のいずれかに記載のリモートコントローラにおいて、
前記モード切替部によって同時押下されたか否かが判定される前記少なくとも２つの操作ボタンは、互いに所定距離以上離間して配置されている操作ボタンである、
ことを特徴とするリモートコントローラ。
【発明の詳細な説明】
【技術分野】
【０００１】
本発明は、リモートコントローラに関する。
【背景技術】
【０００２】
従来、複数の操作ボタンを有し、操作ボタンの操作に応じた操作信号を送信するリモートコントローラにおいて、不適切なボタン操作に基づく操作信号の誤送信を防止する各種の誤送信防止機構が提案されている。このような誤送信防止機構によれば、例えば、幼児がいたずらでボタン操作をしてしまった場合や、リモートコントローラが本などの下敷きになるなどして操作ボタンが誤って押されてしまった場合などに、操作信号の誤送信を防止することができる（例えば、特許文献１参照）。
【０００３】
特許文献１のリモートコントローラでは、幼児のいたずら操作に基づく操作信号の誤送信を防止するチャイルドロック機構を構成するために、スライドスイッチが設けられている。スライドスイッチは、チャイルドロックのロックおよび解除を行うものであり、ロック位置と解除位置との間をスライド可能に設けられている。すなわち、スライドスイッチがロック位置にあるときは、操作ボタンを操作しても操作信号が送信されなくなり、幼児のいたずら操作に基づく操作信号の誤送信を防止できる。また、スライドスイッチが解除位置にあるときは、チャイルドロックが解除され、操作ボタンの操作に応じた操作信号の送信を通常に行うことができる。
【０００４】
【特許文献１】特開２００１−１４５１８２号公報
【発明の開示】
【発明が解決しようとする課題】
【０００５】
しかしながら、以上のような特許文献１のリモートコントローラでは、操作信号を送信するための操作ボタンとは別に、チャイルドロック機構（誤送信防止機構）専用のスライドスイッチを設ける必要があるため、リモートコントローラの構成が複雑化し、製造コストが高くなってしまうという問題があった。
【０００６】
本発明の目的は、不適切なボタン操作に基づく操作信号の誤送信を防止することができるとともに、構成が簡素で、低コストで製造できるリモートコントローラを提供することである。
【課題を解決するための手段】
【０００７】
本発明のリモートコントローラは、複数の操作ボタンを有する操作部と、前記操作部における操作に応じた操作信号を送信する送信部と、前記操作部における操作を認識して前記操作信号を生成し、前記送信部を動作させて前記操作信号を送信させる送信制御部と、を備えるリモートコントローラであって、前記操作信号の送信が行われる送信モード中に、前記複数の操作ボタンのうち少なくとも２つの操作ボタンが同時押下されたか否かを判定し、同時押下されたと判定した場合に、前記送信モードから前記操作信号の送信が停止される送信停止モードに切り替えるモード切替部を備える、ことを特徴とする。
【０００８】
このような構成のリモートコントローラでは、モード切替部が少なくとも２つの操作ボタンの同時押下状態を検出して送信モードから送信停止モードに切り替えると、操作ボタンが操作されても操作信号が送信されなくなる。したがって、不適切なボタン操作に基づく操作信号の誤送信を防止することができる。
以上のような本発明のリモートコントローラによれば、特許文献１のように誤送信防止機構専用のスイッチ（スライドスイッチ）を別途設けることなく、操作信号を送信するための既存の操作ボタンを利用して送信停止モードに切り替えて操作信号の誤送信を防止することができるので、特許文献１に比べてリモートコントローラの構成が簡素化し、その製造コストを低減することができる。
【０００９】
本発明のリモートコントローラでは、前記モード切替部は、前記送信停止モード中に、前記複数の操作ボタンのうち少なくとも２つの操作ボタンが同時押下されたか否かを判定し、同時押下されたと判定した場合に、前記送信停止モードから前記送信モードに切り替える、ことが好ましい。
このような構成によれば、送信停止モードへの切替えおよび送信モードへの切替えを同様の操作、すなわち、少なくとも２つの操作ボタンの同時押下、によって行うことができるので、操作が簡単でユーザフレンドリーなリモートコントローラを提供できる。
【００１０】
また、本発明のリモートコントローラでは、前記送信モードから前記送信停止モードに切り替えるための前記少なくとも２つの操作ボタンと、前記送信停止モードから前記送信モードに切り替えるための前記少なくとも２つの操作ボタンとは、少なくとも１つの操作ボタンが互いに相違している、ことが好ましい。
【００１１】
送信停止モードへの切替操作および送信モードへの切替操作を、互いに一致する２以上の操作ボタンの同時押下によって行う場合には、２つの操作に差異がないので、このような操作をしただけでは、ユーザは送信停止モードであるか送信モードであるかを判別することができない。そのため、ユーザは、同時押下操作の前または後に適当な操作ボタンを押下し、そのとき操作信号が送信されるか否かによって、送信停止モードであるか送信モードであるかを判別する必要があり、煩雑である。
【００１２】
そこで、本発明では、送信停止モードへの切替操作のための２以上の操作ボタンと、送信モードへの切替操作のための２以上の操作ボタンとの間で、少なくとも１つの操作ボタンが相違するようにしており、２つの操作に差異を設けている。このため、ユーザは送信停止モードへの切替操作と送信モードへの切替操作とを明確に区別して行うことができ、各操作後に送信停止モードであるか送信モードであるかを、適当な操作ボタンを押下することなしに判別することができる。したがって、以上のような構成によれば、送信停止モード／送信モードを判別するための煩雑な操作を行う必要がないので、操作が簡素でユーザフレンドリーなリモートコントローラを提供できる。
【００１３】
また、本発明のリモートコントローラでは、前記操作ボタンの押下時間を計測する計時部を備え、前記モード切替部は、前記計時部にて計測された前記同時押下状態の継続時間が所定時間を超えた場合に、前記送信モードおよび前記送信停止モードの切替えを行う、ことが好ましい。
このような構成によれば、２以上の操作ボタンの同時押下状態が所定時間以上継続しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラを提供することができる。
【００１４】
また、本発明のリモートコントローラでは、前記モード切替部は、前記送信部の動作状態を変更することで、前記送信モードおよび前記送信停止モードの切替えを行う、ことが好ましい。
このような構成では、モード切替部が、送信モード中は送信部を動作させて送信制御部による送信制御の下で操作信号を送信させており、また、送信停止モード中は送信部への電力供給を遮断するなどして送信部の動作を停止させて操作信号の送信を停止させている。このため、送信停止モード中は送信部における電力消費を最小限に抑えることができる。
【００１５】
ところで、送信停止モードにおいて操作信号の送信を停止させるための方法としては、以上のような送信部の動作を停止させる方法の他にも、適当な回路やプログラムを用いて送信制御部の動作を制限し、操作信号の生成自体を停止させる方法がある。しかし、この方法（後者の方法）では、送信制御部の動作を制限するための回路やプログラムなどを構成しなければならず、構造が複雑化し、製造コストも高くなってしまう。特に、近年見られるような多機能のリモートコントローラでは、送信制御部の構造が複雑化しているので、送信制御部の動作を制限するための回路やプログラムなども必然的に複雑化してしまい、製造コストが一層高くなってしまう。
これに対して、本発明の方法によれば、送信停止モードにおいては、構造が簡素な送信部（例えば、赤外線送信用の発光素子）の動作を停止させているだけなので、停止に関与する回路やプログラムも簡素化でき、製造コストを低減することができる。
【００１６】
また、本発明のリモートコントローラでは、前記モード切替部によって同時押下されたか否かが判定される前記少なくとも２つの操作ボタンは、予め設定された操作ボタンである、ことが好ましい。
このような構成によれば、予め設定された２以上の操作ボタンを同時押下しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラを提供することができる。
【００１７】
また、本発明のリモートコントローラでは、前記モード切替部によって同時押下されたか否かが判定される前記少なくとも２つの操作ボタンは、互いに所定距離以上離間して配置されている操作ボタンである、ことが好ましい。
このような構成によれば、互いに所定距離以上離間して配置されている２以上の操作ボタンを同時押下しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラを提供することができる。
【発明を実施するための最良の形態】
【００１８】
次に、本発明の実施形態を図面に基づいて説明する。
図１は、プロジェクタ本体１０と、本発明に係るリモートコントローラ１とを備えるプロジェクタを示す斜視図である。図２は、リモートコントローラ１の外観を示す平面図である。図３は、リモートコントローラ１を示すブロック線図である。図４は、リモートコントローラ１の動作を表すフローチャートである。
【００１９】
リモートコントローラ１は、画像を投射するプロジェクタ本体１０を遠隔操作するためのものであり、リモートコントローラ１の制御全般を行う制御部２と、複数の操作ボタンを有する操作部３と、制御部２による制御の下、操作部３における操作に応じた操作信号をプロジェクタ本体１０に送信する送信部４と、を備えて構成されている。
図２に示されるように、リモートコントローラ１の表面には操作部３における複数の操作ボタンが配設されている。各操作ボタンには、少なくとも１つの操作が割り当てられているが、ここでは説明の簡素化のため個々の操作ボタンについて詳細に説明することを避ける。例えば、操作ボタンとしては、プロジェクタ本体１０の電源のオン／オフ切替えを行うボタン、プロジェクタ本体１０から投射される画像の拡大／縮小を行うズーム＋（プラス）ボタン／ズーム−（マイナス）ボタン、プロジェクタ本体１０からの出力音量を調整する音量＋ボタン／音量−ボタン、プロジェクタ本体１０に所定のメニューを投射させるメニューボタンなどが設けられている。
なお、プロジェクタ本体１０は、リモートコントローラ１の送信部４から送信された操作信号を受信する受信部（図示せず）を有しており、受信部にて受信した操作信号に基づいて前記各種の動作を行うことが可能である。
【００２０】
制御部２は、チップマイコンによって構成され、送信制御部２１と、計時部２２と、モード切替部２３とを備える。
送信制御部２１は、操作部３における各操作ボタンの押下操作を認識して、押下された操作ボタンに対応する操作信号を生成し、送信部４を動作させて当該操作信号を送信させる。
計時部２２は、操作部３における所定の２つの操作ボタンの同時押下状態の継続時間を計測する。
【００２１】
モード切替部２３は、送信停止部２３１と送信停止解除部２３２とを備えて構成される。
送信停止部２３１では、操作信号の送信が行われる送信モード中に、操作部３における所定の２つの操作ボタンが同時押下されたか否かが判定される。送信停止部２３１は、同時押下されたと判定し、かつ、計時部２２にて計測された同時押下状態の継続時間が３０秒を超えた場合に、送信モードから操作信号の送信が停止される送信停止モードに切り替える。
送信停止解除部２３２では、送信停止モード中に、操作部３における所定の２つの操作ボタンが同時押下されたか否かが判定される。送信停止解除部２３２は、同時押下されたと判定し、かつ、計時部２２にて計測された同時押下状態の継続時間が３０秒を超えた場合に、送信停止モードから送信モードに切り替える。
【００２２】
図３に示されるように、操作部３における複数の操作ボタンＡａ〜Ｃｃは、それぞれ、制御部２の出力ポート２Ａ〜２Ｃに接続されている出力線Ａ〜Ｃと、制御部２の入力ポート２ａ〜２ｃに接続されている入力線ａ〜ｃとの各交点に配設される。なお、図２に示される操作ボタンの数と、図３に示される操作ボタンの数（３×３＝９）とが互いに一致していないのは、図３における図示を簡素化したためである。実際は、図２に示される全ての操作ボタンが、それぞれ、図３に示されるように出力線と入力線との各交点に１個ずつ配設されている。
出力線Ａ〜Ｃには、それぞれ、抵抗ＲＡ〜ＲＣが直列に接続され、また、入力線ａ〜ｃには、それぞれ、抵抗Ｒａ〜Ｒｃが直列に接続されている。なお、操作部３におけるいずれの操作ボタンＡａ〜Ｃｃが押下されたかを識別できるようにするために、各抵抗ＲＡ〜ＲＣ，Ｒａ〜Ｒｃは、それぞれ、互いに異なる値に設定されている。
【００２３】
各操作ボタンＡａ〜Ｃｃは、それぞれ、出力線Ａ〜Ｃと入力線ａ〜ｃとの各交点において回路の開閉を行うスイッチになっている。
例えば、操作ボタンＢｂが押下されると、これに対応する交点において回路が閉じられ、出力線Ｂと入力線ｂとが電気的に接続される。すると、出力線Ｂおよび入力線ｂを含んだ閉回路が構成されるので、制御部２の出力ポート２Ｂから出力された信号が出力線Ｂおよび入力線ｂを通って制御部２の入力ポート２ｂに入力される。制御部２における送信制御部２１は、この信号を検出することで操作ボタンＢｂが押下されたことを認識し、押下された操作ボタンＢｂに対応する操作信号を生成し、この操作信号を送信部４に送信させる。
【００２４】
送信部４は、送信制御部２１において生成された操作信号を赤外線として送信するための図示しないＬＥＤ（発光ダイオード：Ｌｉｇｈｔ−Ｅｍｉｔｔｉｎｇ  Ｄｉｏｄｅ）を有する。ＬＥＤには、常に数μＡの微弱な待機電流が流されているが、操作信号（赤外線）送信時には、数百ｍＡの大きな電流が流される。
【００２５】
続いて、図４のフローチャートを参照しながら、リモートコントローラ１の動作、特に、送信停止モードへの切替動作および送信停止モードの解除動作（送信モードへの切替動作）について説明する。
【００２６】
＜送信停止モードへの切替動作＞
ユーザは、送信モード中に、操作部３における所定の２つの操作ボタンを同時押下し、その同時押下状態を３０秒以上継続させることにより、リモートコントローラ１を送信モードから送信停止モードに切替え、操作信号の送信を停止させることができる。ここで、送信停止モードに切り替えるために同時押下する２つの操作ボタンは、予め設定されており、本実施形態では、図２および図３に示される操作ボタンＡａおよびＢｂに設定されている。図２に示されるように、送信停止モード切替用の操作ボタンＡａおよびＢｂは、互いに隣接せず、所定距離以上離間して配置されている。
【００２７】
なお、送信停止モード切替用の操作ボタンＡａおよびＢｂは、個々が単独で押下された場合（同時押下されない場合）には、前述した通り、送信制御部２１による送信制御の下、個々の操作ボタンに対応する操作信号が送信部４から送信されるようになっているが、同時押下された場合には、送信制御部２１における送信制御が一時的に制限されて、操作ボタンＡａおよびＢｂのそれぞれに対応する各操作信号はいずれも生成されないようになっている。
【００２８】
さて、送信モード（Ｓ１：Ｓはステップの意。以下同様）中に、送信停止モード切替用の２つの操作ボタンＡａ，Ｂｂが同時押下される（Ｓ２においてＹｅｓと判断される）と、図３の回路において対応する２つのスイッチＡａ，Ｂｂが閉じられ、これに応じて制御部２の出力ポート２Ａ〜２Ｃから出力され入力ポート２ａ〜２ｃへ入力される信号が変化するので、制御部２は、２つの操作ボタンＡａ，Ｂｂが同時押下されたことを認識することができる。そして、制御部２は、その同時押下状態の継続時間を計時部２２によって計測する（Ｓ３）。
【００２９】
送信停止部２３１は、計時部２２で計測された同時押下状態の継続時間が３０秒を超える（Ｓ４においてＹｅｓと判断される）と、送信モードから送信停止モードに切り替える（Ｓ５）。より具体的には、送信停止部２３１は、送信部４の赤外線送信用ＬＥＤへの電流の供給路の開閉を行うトランジスタ（図示せず）を動作させて、前記供給路を遮断し、送信部４の送信動作を停止させる。電流の供給が絶たれたＬＥＤは操作信号（赤外線）を送信できなくなるので、送信部４からは操作信号が送信されなくなる。これ以降、送信停止モードが解除されて送信モードに切り替わらない限り、どの操作ボタンが押下されても、送信部４からは操作信号が送信されなくなる。
なお、計時部２２で計測された同時押下状態の継続時間が３０秒を超えない（Ｓ４においてＮｏと判断される）場合には、リモートコントローラ１は送信停止モードに移行されず、送信モードが継続されたまま（Ｓ１）、以降も通常の操作信号の送信が行われる。
【００３０】
＜送信停止モードの解除動作（送信モードへの切替動作）＞
ユーザは、送信停止モード中に、操作部３における所定の２つの操作ボタンを同時押下し、その同時押下状態を３０秒以上継続させることにより、送信停止モードを解除させ、リモートコントローラ１を送信モードに切り替えることができる。ここで、送信停止モードを解除させるために同時押下する２つの操作ボタンは、予め設定されており、本実施形態では、図２および図３に示される操作ボタンＢａおよびＣｂに設定されている。図２に示されるように、送信停止モード解除用（送信モード切替用）の操作ボタンＢａおよびＣｂは、互いに隣接せず、所定距離以上離間して配置されている。また、送信停止モード解除用の各操作ボタンＢａ，Ｃｂは、それぞれ、送信停止モード切替用の各操作ボタンＡａ，Ｂｂと互いに相違している。
【００３１】
さて、送信停止モード（Ｓ５）中に、送信停止モード解除用の２つの操作ボタンＢａ，Ｃｂが同時押下される（Ｓ６においてＹｅｓと判断される）と、図３の回路において対応する２つのスイッチＢａ，Ｃｂが閉じられ、これに応じて制御部２の出力ポート２Ａ〜２Ｃから出力され入力ポート２ａ〜２ｃへ入力される信号が変化するので、制御部２は、２つの操作ボタンＢａ，Ｃｂが同時押下されたことを認識することができる。そして、制御部２は、その同時押下状態の継続時間を計時部２２によって計測する（Ｓ７）。
【００３２】
送信停止解除部２３２は、計時部２２で計測された同時押下状態の継続時間が３０秒を超える（Ｓ８においてＹｅｓと判断される）と、送信停止モードを解除させて、送信モードに切り替える（Ｓ９→Ｓ１）。より具体的には、送信停止解除部２３２は、送信部４の赤外線送信用ＬＥＤへの電流の供給路の開閉を行う前記トランジスタを動作させて、前記供給路を接続し、送信部４の送信動作を開始させる。すると、ＬＥＤは、供給路を介して供給された電流に基づいて操作信号（赤外線）を送信可能な状態になるので、送信部４から操作信号が送信可能になる。これ以降、リモートコントローラ１が再び送信停止モード（Ｓ５）に切り替わらない限り、送信制御部２１による送信制御の下、送信部４からは押下された操作ボタンに応じた操作信号が送信されるようになる。
なお、計時部２２で計測された同時押下状態の継続時間が３０秒を超えない（Ｓ８においてＮｏと判断される）場合には、送信停止モードは解除されず、送信停止モードが継続されたまま（Ｓ５）、以降も操作信号の送信が停止される。
【００３３】
以上、操作ボタンＡａ，Ｂｂの同時押下による送信停止モードへの切替え、および、操作ボタンＢａ，Ｃｂの同時押下による送信停止モードの解除（送信モードへの切替え）について説明したが、これらの各操作ボタンＡａ，Ｂｂ，Ｂａ，Ｃｂは、送信停止モード切替／解除専用の操作ボタンではない。すなわち、同時押下ではなく、個々が単独で押下された場合には、その他の通常の操作ボタンと同様に、個々の操作ボタンＡａ，Ｂｂ，Ｂａ，Ｃｂに対応する操作信号が送信制御部２１において生成されて、送信部４から送信されるようになっている（但し、送信モード中に限る）。
【００３４】
＜実施形態の効果＞
以上のような実施形態によれば、以下の効果を奏することができる。
送信停止部２３１が２つの操作ボタンＡａ，Ｂｂの同時押下状態を検出して送信停止モードに切り替えると、どの操作ボタンが押下されても、送信部４から操作信号が送信されなくなるから、不適切なボタン操作に基づく操作信号の誤送信を防止することができ、誤送信に基づく無駄な電力の消耗を防止することができる。
例えば、リモートコントローラ１を使用せずに収納しておく際に、送信停止モードに切り替えておけば、収納時に偶然操作ボタンが押下されたとしても、送信部４から操作信号が送信されることはないので、無駄な電力消耗を抑えることができる。
【００３５】
誤送信防止機構専用のスイッチ（スライドスイッチなど）を別途設けることなく、操作信号を送信するための既存の操作ボタンＡａ，Ｂｂを利用して送信停止モードに切り替えて操作信号の誤送信を防止することができるので、リモートコントローラ１の構成が簡素化し、その製造コストを低減することができる。
【００３６】
送信停止モードへの切替えおよび送信停止モードの解除（送信モードへの切替え）を同様の操作、すなわち、２つの操作ボタンの同時押下によって行うことができるので、操作が簡単でユーザフレンドリーなリモートコントローラ１を提供できる。
【００３７】
送信停止モード切替用の個々の操作ボタンＡａ，Ｂｂと、送信停止モード解除用の個々の操作ボタンＢａ，Ｃｂとが互いに相違しているので、ユーザは送信停止モード切替操作と送信停止モード解除操作（送信モード切替操作）とを明確に区別して行うことができ、各操作後に送信停止モード／送信モードを判別するための煩雑な確認操作を行う必要がないので、操作が簡素でユーザフレンドリーなリモートコントローラ１を提供できる。
【００３８】
２つの操作ボタンＡａ，Ｂｂ、あるいは、Ｂａ，Ｃｂの同時押下状態が３０秒以上継続しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラ１を提供することができる。
例えば、送信停止モードに切り替えた状態でリモートコントローラ１を鞄などに収納して持ち運ぶ際には、持ち運びに伴う振動によって送信停止モード解除用の２つの操作ボタンＢａ，Ｃｂが断続的に同時押下されてしまうこともありうるが、送信停止モードの解除には同時押下状態の所定時間（３０秒）以上の継続が必要とされるので、断続的な同時押下によっては送信停止モードが解除されず、送信停止モードが維持されて無駄な電力消耗を避けたままリモートコントローラ１を適切に持ち運ぶことができる。
【００３９】
構造が複雑な送信制御部２１の動作状態を切り替えるのではなく、構造が簡素な送信部４の動作状態を切り替える（赤外線送信用ＬＥＤへの電流の供給路の開閉を行う）ことで、送信停止モード／送信モードを切り替えているので、モード切替に関与する回路やプログラムを簡素化でき、製造コストを低減することができる。
【００４０】
予め設定された２つの操作ボタンＡａ，Ｂｂ、あるいは、Ｂａ，Ｃｂを同時押下しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラ１を提供することができる。
【００４１】
互いに所定距離以上離間して配置されている２つの操作ボタンＡａ，Ｂｂ、あるいは、Ｂａ，Ｃｂを同時押下しなければ送信モードおよび送信停止モードの切替えが行われないので、幼児のいたずら操作や、外部からの衝撃などによって、偶然に送信モードおよび送信停止モードの切替えが行われてしまう可能性を著しく低めることができ、信頼性の高いリモートコントローラ１を提供することができる。
【００４２】
＜変形例＞
本発明は、以上で説明した実施形態によって限定されるものではなく、この実施形態を、本発明の目的を達成できる範囲内において変形したものであれば、本発明の技術的範囲に含まれる。
【００４３】
例えば、前記実施形態では、２つの操作ボタンＡａ，Ｂｂの同時押下によって送信停止モードに切り替え、また、２つの操作ボタンＢａ，Ｃｂの同時押下によって送信停止モードを解除させていたが、２つの操作ボタンの同時押下に限らず、３つ以上の操作ボタンの同時押下によって送信停止モード切替／解除を行わせてもよい。
【００４４】
また、前記実施形態では、送信部４の赤外線送信用ＬＥＤへの電流供給路の開閉を行うトランジスタのスイッチングによって、送信停止モード／送信モードの切替えを行っていたが、送信停止部２３１／送信停止解除部２３２が送信制御部２１に直接作用して、そこでの送信制御（操作信号の生成）を停止／停止解除させることにより、送信停止モード／送信モードの切替えを行わせてもよい。
【００４５】
また、前記実施形態では、計時部２２によって送信停止モード切替用／解除用の２つの操作ボタンの同時押下状態の継続時間を計測し、それに基づいて送信停止モード切替／解除を行っていたが、計時部を設けずに、送信停止モード切替用／解除用の２以上の操作ボタンが同時押下されると、直ちに送信停止モード切替／解除が行われるようにしてもよい。
【００４６】
また、前記実施形態では、送信停止モード切替用／解除用の２つの操作ボタンの同時押下状態の継続時間が３０秒を超えると送信停止モード切替／解除が行われるようにしていたが、３０秒に限らず適宜自由に設定した時間と同時押下状態の継続時間とが比較されて送信停止モード切替／解除が行われるようにすればよい。なお、送信停止モードへの切替えのための同時押下状態の継続時間と、送信停止モードの解除のための同時押下状態の継続時間とは、同一である必要はなく、互いに異なっていてもよい。
【００４７】
また、前記実施形態では、予め設定された送信停止モード切替用／解除用の２つの操作ボタンの同時押下によって送信停止モード切替／解除を行っていたが、送信停止モード切替用／解除用の操作ボタンは予め設定しなくてもよく、任意の２以上の操作ボタンの同時押下によって送信停止モード切替／解除を行ってもよい。このとき、所定時間以上同時押下状態が継続した場合に限って、送信停止モード切替／解除が行われるようにするのが好ましい。
【００４８】
また、前記実施形態では、送信停止モード切替用／解除用の２つの各操作ボタンを、互いに所定距離以上離間して配置されている２つの操作ボタンとしていたが、互いに隣接した操作ボタンとしてもよい。
【００４９】
また、前記実施形態では、送信停止モード切替用の個々の操作ボタンＡａ，Ｂｂと、送信停止モード解除用の個々の操作ボタンＢａ，Ｃｂとが互いに相違していたが、互いに共通する２以上の操作ボタンの同時押下によって送信停止モード切替／解除が行われるようにしてもよい。
【００５０】
また、前記実施形態では、プロジェクタ本体１０を操作するためのリモートコントローラ１について説明したが、本発明のリモートコントローラは、プロジェクタ本体に限らず、各種の電子機器本体、例えば、テレビ本体、ラジオ本体などの操作用に利用することができる。
【図面の簡単な説明】
【００５１】
【図１】プロジェクタ本体と、本発明の実施形態に係るリモートコントローラとを備えるプロジェクタを示す斜視図である。
【図２】本発明の実施形態に係るリモートコントローラの外観を示す平面図である。
【図３】本発明の実施形態に係るリモートコントローラを示すブロック線図である。
【図４】本発明の実施形態に係るリモートコントローラの動作を表すフローチャートである。
【符号の説明】
【００５２】
１…リモートコントローラ，２…制御部，３…操作部，４…送信部，１０…プロジェクタ本体，２１…送信制御部，２２…計時部，２３…モード切替部，２３１…送信停止部，２３２…送信停止解除部，Ａａ、Ｂｂ…操作ボタン（送信停止モード切替用），Ｂａ、Ｃｂ…操作ボタン（送信停止モード解除用）。
【図１】
2006191299.tif 000003
【図２】
2006191299.tif 000004
【図３】
2006191299.tif 000005
【図４】
2006191299.tif 000006